(57)【要約】      （修正有）【課題】収納時に占める空間を減少させ、展開時の角度を制限する位置決め型カゴ車を提供する。【解決手段】二つの活動フレーム２０は、互いに対向する一つの連結端部２２及び一つの自由端部２４を有し、各連結端部２２が固定フレーム１０の連結側部１４に回転可能に設けられる。各活動フレーム２０は、オン位置とオフ位置の間で揺動可能である。オン位置に位置するとき、各自由端部２４が固定フレーム１０から離間し、各活動フレーム２０と固定フレーム１０の間に所定角度を形成し、オフ位置に位置するとき、各自由端部２４が固定フレーム１０に接近する。位置決め構造は、固定フレーム１０と活動フレーム２０の間に設置され、各活動フレーム２０がオン位置に位置する時に各活動フレーム２０と固定フレーム１０の間の所定角度を制限する。プレート２８は、二つの活動フレーム２０がオン位置に位置するとき、離脱可能に二つの活動フレーム２０の間に設けられる。【選択図】図１
0003214743.tif 000002
【実用新案登録請求の範囲】
【請求項１】
連結側部を二つ有する一つの固定フレームと、二つの活動フレームと、少なくとも二つの位置決め構造と、少なくとも一つのプレートと、を備え、
二つの前記活動フレームは、互いに対向する一つの連結端部及び一つの自由端部を有し、各前記連結端部が前記固定フレームの前記連結側部に回転可能に設けられており、各前記活動フレームは、操作され、オン位置とオフ位置の間で揺動可能であり、二つの前記活動フレームがオン位置に位置するとき、各前記自由端部が前記固定フレームから離間し、各前記活動フレームと前記固定フレームの間に所定角度を形成し、二つの前記活動フレームがオフ位置に位置するとき、各自由端部が前記固定フレームに接近し、
前記位置決め構造は、前記固定フレームと前記活動フレームの間に設置されており、前記固定フレームに各前記活動フレームが回転可能に接続する箇所に近接しており、前記位置決め構造は、各前記活動フレームがオン位置に位置する時に各前記活動フレームと前記固定フレームの間の所定角度を制限するのに用いられ、
前記プレートは、二つの前記活動フレームがオン位置に位置するとき、離脱可能に二つの前記活動フレームの間に設けられていることを特徴とする位置決め型カゴ車。
【請求項２】
前記固定フレームの各前記連結側部は、二つの第一連結ブロックを有し、二つの前記第一連結ブロックは、一方が他方の下方に位置しており、各前記活動フレームの前記連結端部は二つの第二連結ブロックを有し、前記第二連結ブロックは前記第一連結ブロックと対応しており、前記第一連結ブロックと前記第二連結ブロックは一つの枢軸により連結されており、各前記活動フレームの少なくとも一つの前記第二連結ブロックに一つの抵抗面を有し、前記抵抗面は少なくとも一つの前記位置決め構造を有し、各前記活動フレームがオン位置に位置するとき、前記抵抗面が前記固定フレームに当たることを特徴とする請求項１に記載の位置決め型カゴ車。
【請求項３】
各前記活動フレームの各前記第二連結ブロックに前記抵抗面を有し、前記活動フレームの前記第二連結ブロックの前記抵抗面は四つの前記位置決め構造を構成することを特徴とする請求項２に記載の位置決め型カゴ車。
【請求項４】
前記固定フレームの各前記連結側部は、一つの第一連結ブロックを有し、
前記活動フレームの各前記連結端部は、一つの第二連結ブロックを有し、前記第二連結ブロックが前記固定フレームの各前記連結側部の前記第一連結ブロックと対応しており、前記第一連結ブロックと前記第二連結ブロックは一つの枢軸により連結されており、
各前記第一連結ブロックは、一つの貫通穴を有し、前記貫通穴には一つの位置決めピンが貫通されており、各前記第二連結ブロックは、一つの第一位置決め穴を有し、各前記活動フレームは前記オン位置に位置するとき、前記位置決めピンが前記第一位置決め穴中に突出されており、前記位置決め構造は、各前記位置決めピン、各前記貫通穴、及び各前記第一位置決め穴を含むことを特徴とする請求項１に記載の位置決め型カゴ車。
【請求項５】
前記位置決め構造は、各前記第一連結ブロックに設置されている一つの結合座を含み、各前記位置決めピンが移動可能に前記結合座に設置されており、前記位置決めピンが第一位置と第二位置の間で移動可能であり、前記位置決めピンが前記第一位置に位置するとき、前記位置決めピンの一端が前記第一位置決め穴に突出されており、前記位置決めピンが前記第二位置に位置するとき、前記位置決めピンの一端が前記第一位置決め穴から離間することを特徴とする請求項４に記載の位置決め型カゴ車。
【請求項６】
各前記位置決め構造は、一つの弾性ユニットを有し、
前記弾性ユニットは、一端が前記結合座に連結されており、他端が前記位置決めピンの一つの身部に連結されており、前記位置決めピンが外力により前記第二位置まで移動するとき、前記弾性ユニットは圧縮され弾力が発生し、外力が解除されると、前記弾性ユニットの弾力が回復し、前記位置決めピンを前記第一位置に向いて移動させることを特徴とする請求項５に記載の位置決め型カゴ車。
【請求項７】
前記結合座は一つの収容溝を有し、前記弾性ユニットは前記収容溝内に収容されており、前記弾性ユニットは、二つの固定リング及び一つのスプリングを有し、一方の前記固定リングが前記収容溝の溝壁に設置されており、他方の前記固定リングが前記位置決めピンの前記身部に設置されており、前記スプリングは前記位置決めピンにはめ込まれており、二つの前記固定リングの間に位置していることを特徴とする請求項６に記載の位置決め型カゴ車。
【請求項８】
前記第二連結ブロックは一つの第二位置決め穴を有し、二つの前記活動フレームが前記オフ位置に位置するとき、前記位置決めピンが前記第二位置決め穴の中に突出しており、二つの前記活動フレームが前記オフ位置に位置するよう制限することを特徴とする請求項４に記載の位置決め型カゴ車。
【請求項９】
前記第二連結ブロックは、一つの当接面が設置されており、各前記活動フレームが前記オン位置に位置するとき前記当接面が前記固定フレームに当接することを特徴とする請求項４に記載の位置決め型カゴ車。
【考案の詳細な説明】
【技術分野】
【０００１】
本考案は、カゴ車に関し、特に位置決め型カゴ車に関する。
【背景技術】
【０００２】
カゴ車は、保存、積載、運搬、陳列などの機能を有し、毎回の貨物の運搬において、人力、時間を節約し、効率を高める機能を有し、倉庫保存、および物流作業において不可欠の役割を果たしている。
【０００３】
従来のカゴ車は、一つのパレット、パレットの底部に設けられている４つの車輪、および、パレットの上に設けられているコの字状の枠フレームを含み、枠フレームの一方の側に一つの開口が設置されており、物品の設置および取り出しに用いられる。また、パレットの表面積（枠フレームに囲まれた面積）が大きいほど、積載量が多く、運送効率も良い。
【０００４】
しかしながら、従来のカゴ車の枠フレームはいずれもパレットに固定されており、収納するとき、大きな空間を占める。また、パレットの表面積（枠フレームに囲まれた面積）が大きいほど、収納空間を大きく占める。使用者は、カゴ車を選ぶ際、運送効率と収容空間の間で選択をしなければならない。また、物流、倉庫業者は、多くのカゴ車を備えないと、貨物の順調な搬入搬出を確保することができない。小さいカゴ車であっても数が多い場合大きな収納空間を占める。また、カゴ車の収納空間は、貨物の貯蔵空間を占有し、大きな改善余地を有する。
【考案の概要】
【考案が解決しようとする課題】
【０００５】
本考案の目的は、位置決め型カゴ車を提供し、収納時に占める空間を減少させる。
【０００６】
本考案の別の目的は、位置決め型カゴ車を提供し、展開時の角度を制限する。
【課題を解決するための手段】
【０００７】
上記目的を達成するために、本考案の位置決め型カゴ車は、連結側部を二つ有する一つの固定フレームと、二つの活動フレームと、少なくとも二つの位置決め構造と、少なくとも一つのプレートと、を備える。二つの活動フレームは、互いに対向する一つの連結端部及び一つの自由端部を有し、各連結端部が固定フレームの連結側部に回転可能に設けられており、各活動フレームは、操作され、オン位置とオフ位置の間で揺動可能であり、二つの活動フレームがオン位置に位置するとき、各自由端部が固定フレームから離間し、各活動フレームと固定フレームの間に所定角度を形成し、二つの活動フレームがオフ位置に位置するとき、各自由端部が固定フレームに接近する。位置決め構造は、固定フレームと活動フレームの間に設置されており、固定フレームに各活動フレームが回転可能に接続する箇所に近接しており、位置決め構造は、各活動フレームがオン位置に位置する時に各活動フレームと固定フレームの間の所定角度を制限するのに用いられる。プレートは、二つの活動フレームがオン位置に位置するとき、離脱可能に二つの活動フレームの間に設けられている。
【０００８】
本考案の効果は、活動フレームがオフ位置に位置するとき、収納時に占める空間を減少し、展開時に、少なくとも二つの位置決め構造により、活動フレームがオン位置まで展開するとき、展開の角度を制限する。
【図面の簡単な説明】
【０００９】
【図１】本考案の一つの好ましい実施例の位置決め型カゴ車の立体図である。
【図２】上述の好ましい実施例の位置決め型カゴ車のプレート収納時の立体図である。
【図３】上述の好ましい実施例の位置決め型カゴ車の要部立体図である。
【図４】図３の断面を示す立体図である。
【図５】上述の好ましい実施例の位置決め型カゴ車の収納状態の立体図である。
【図６】上述の好ましい実施例の位置決め型カゴ車の収納状態の要部立体図である。
【考案を実施するための形態】
【００１０】
本考案を明確に説明するために、好ましい実施例および図面を合わせて以下の通り詳細に説明する。図１から図６に示すように、本考案の好ましい実施例の位置決め型カゴ車は、一つの固定フレーム１０、二つの活動フレーム２０、少なくとも一つのプレート２８、および少なくとも二つの位置決め構造を備える。
【００１１】
固定フレーム１０は、一つのメインフレーム１２、二つの翼フレーム１８を有する。メインフレーム１２は二つの互いに対向する連結側部１４を有する。二つの翼フレーム１８はそれぞれメインフレーム１２の二つの連結側部１４の背面の他方側に結合されている。メインフレーム１２は二つの直立する側棒１６を有する。本実施例では、各固定フレーム１０の各連結側部１４は、二つの第一連結ブロック１４２を有する。二つの第一連結ブロック１４２の一方は他方の下方に位置している。他方の第一連結ブロック１４２はメインフレーム１２の頂部に位置し、一方の第一連結ブロック１４２はメインフレーム１２の底部に位置している。各翼フレーム１８には複数の側板１８２が設置されており、側板１８２は上から下まで並列されている。
【００１２】
各活動フレーム２０は互いに対向する一つの連結端部２２及び一つの自由端部２４を有する。二つの活動フレーム２０は二つの連結端部２２により固定フレーム１０の二つの連結側部１４に回転可能に設けられている。本実施例では、各活動フレーム２０の連結端部２２は二つの第二連結ブロック２２２を有する。第二連結ブロック２２２は、他方が活動フレーム２０の頂部に位置し、一方が活動フレーム２０の底部に位置し、それぞれ、固定フレーム１０の各連結側部１４の二つの第一連結ブロック１４２と対応している。各第一連結ブロック１４２と各第二連結ブロック２２２は一つの枢軸３０により回転可能に接続されている。各活動フレーム２０は操作され、図１に示すオン位置ＰＯと図５に示すオフ位置ＰＣの間で揺動する。二つの活動フレーム２０がオン位置ＰＯに位置するとき、各自由端部２４は固定フレーム１０を離間し、各活動フレーム２０と固定フレーム１０の間で所定角度が形成されるよう展開する。二つの活動フレーム２０がオフ位置ＰＣに位置するとき、各自由端部２４が固定フレーム１０に接近する。各活動フレーム２０は上から下まで配列されている支持フレーム２６を複数有する。
【００１３】
少なくとも一つのプレート２８は、二つの活動フレーム２０がオン位置ＰＯに位置するとき、取り外し可能に、二つの活動フレーム２０の間に設置されている。本実施例では、少なくとも一つのプレート２８は、複数であり、二つの活動フレーム２０の支持フレーム２６の上に位置している。各プレート２８は、折り畳まれて収納可能である。使用しないとき、プレート２８を折りたたみ、二つの翼フレーム１８の間の側板１８２に跨って置くことが可能である（図２を参照）。
【００１４】
各位置決め構造は、固定フレーム１０と各活動フレーム２０の間に設置されており、固定フレーム１０及び各活動フレーム２０の連結箇所に近接する。各位置決め構造は、各活動フレーム２０がオン位置ＰＯに位置するとき、各活動フレーム２０と固定フレーム１０の角度を制限するのに用いられる。本実施例では、この角度は９０度であり、オン位置ＰＯに位置するとき、活動フレーム２０と固定フレーム１０のメインフレーム１２間は垂直関係である。
【００１５】
図３、図４、図６に示すように、本実施例では、位置決め構造は、二つの形態を含む。四つの第一位置決め構造３２及び二つの第二位置決め構造３４を含む。
【００１６】
四つの第一位置決め構造３２は四つの第二連結ブロック２２２に設置されており、詳しく説明すると、各第二連結ブロック２２２に一つの当接面３２２を設置する。当接面３２２は、「抵抗面」の一例に相当する。各当接面３２２は少なくとも一つの第一位置決め構造３２を構成する。各活動フレーム２０がオン位置ＰＯに位置するとき、当接面３２２は固定フレーム１０に当接する（図３を参照）。本実施例では、当接面３２２は少なくとも側棒１６に当接し、各活動フレーム２０と固定フレーム１０のメインフレーム１２の間の角度を制限する。下方に位置する第二連結ブロック２２２は同様な当接面３２２を有し、活動フレーム２０がオン位置ＰＯに位置するとき、当接面３２２は同様に側棒１６に当接する。
【００１７】
第二位置決め構造３４の作用の一つは各活動フレーム２０をオン位置ＰＯに制限することである。各第二位置決め構造３４はそれぞれ頂部の左右両側の第一連結ブロック１４２及び第二連結ブロック２２２に設置されており、左側の第二位置決め構造３４を例示して説明する。図３、図４、図６に示すように、第二位置決め構造３４は一つの貫通穴３６、一つの第一位置決め穴３８、及び一つの位置決めピン４０を有する。第一連結ブロック１４２は貫通穴３６を有する。第二連結ブロック２２２は第一位置決め穴３８を有する。活動フレーム２０がオン位置ＰＯに位置するとき、貫通穴３６と第一位置決め穴３８が対向する。この時、位置決めピン４０を貫通穴３６に貫通することで、位置決めピン４０が第一位置決め穴３８まで突出するようにする。活動フレーム２０を所定角度でオン位置ＰＯに固定する。
【００１８】
本実施例では、第二位置決め構造３４は一つの結合座４６と一つの弾性ユニット４８を有する。結合座４６は第一連結ブロック１４２に設置されている。本実施例では、結合座４６は一つの外螺旋部４６２を有し、貫通穴３６はねじ穴であり、外螺旋部４６２を貫通穴３６にねじ込むことで、結合座４６を第一連結ブロック１４２に結合させる。弾性ユニット４８は、一端が結合座４６に連結されており、他端が位置決めピン４０の一つの身部４２２に連結されている。位置決めピン４０は移動可能に各結合座４６に設置されている。位置決めピン４０は連動され図４に示す第一位置Ｐ１と第二位置Ｐ２の間で移動する。第一位置Ｐ１に位置するとき、位置決めピン４０の端部４２４は、第一位置決め穴３８に突出している。第二位置Ｐ２に位置するとき、位置決めピン４０の端部４２４は第一位置決め穴３８から離間する。
【００１９】
本実施例では、結合座４６は一つの収容溝４６４を有する。弾性ユニット４８は収容溝４６４の中に位置している。弾性ユニット４８は二つの固定リング４８２、４８４、及び一つのスプリング４８６を有する。一つの固定リング４８２は収容溝４６４の溝壁に設置されている。位置決めピン４０は一つの本体４２及び一つの握部４４を有する。本体４２は結合座４６に貫通されている。本体４２は、身部４２２および端部４２４を有する。別の固定リング４８４は本体４２の身部４２２に設置されている。
【００２０】
スプリング４８６は位置決めピン４０の本体４２の身部４２２に嵌め込まれており、二つの固定リング４８２、４８４の間に位置する。握部４４は結合座４６に嵌め込まれており、人が引っ張ることが可能である。人が握部４４を引っ張ると、位置決めピン４０が外力を受け、第二位置Ｐ２まで移動し、弾性ユニット４８が推圧され弾力を発生する。このとき、人が活動フレーム２０を推して移動させることができ、活動フレーム２０を回転可能に揺動させる。活動フレーム２０がオン位置ＰＯまで揺動するとき、人が握部４４を外し、外力が解除されると、弾性ユニット４８の弾力が回復し、位置決めピン４０が第一位置Ｐ１の方向に移動し、位置決めピン４０の本体４２の端部４２４は、第一位置決め穴３８の中に突出し、活動フレーム２０を固定する。第二連結ブロック２２２の上の当接面３２２に合わせながら、活動フレーム２０が展開する時の角度を制限し、第一位置決め穴３８と貫通穴３６の位置合わせを容易にする。
【００２１】
また、本実施例では、第二位置決め構造３４のもう一つの作用は、活動フレーム２０をオフ位置ＰＣに制限することである。第二位置決め構造３４は、一つの第二位置決め穴５０を有する。第二位置決め穴５０は第二連結ブロック２２２に設置されている。位置決めピン４０の本体４２の端部４２４が第一位置決め穴３８を離脱した後、オフ位置ＰＣまで活動フレーム２０を押し付けるとき、再び、位置決めピン４０の端部４２４を第二位置決め穴５０中まで突出させ、活動フレーム２０をオフ位置ＰＣに制限する。
【００２２】
上述したように、本実施例の位置決め型カゴ車は活動フレーム２０がオフ位置ＰＣに位置するとき、収納時に占める空間を減少することができる。少なくとも、二つの位置決め構造（二つの第一位置決め構造３２、または、二つの第二位置決め構造３４、または、一つの第一位置決め構造３２及び一つの第二位置決め構造３４）により、活動フレーム２０をオン位置ＰＯまで展開するとき、角度を制限して位置決めすることができる。
【００２３】
本考案は、上述した実施形態に限定されるものではなく、考案の趣旨を逸脱しない範囲で種々の形態で実施可能である。
【符号の説明】
【００２４】
１０      ・・・固定フレーム
１２      ・・・メインフレーム
１４      ・・・連結側部
１４２    ・・・第一連結ブロック
１６      ・・・側棒
１８      ・・・翼フレーム
１８２    ・・・側板
２０      ・・・活動フレーム
２２      ・・・連結端部
２２２    ・・・第二連結ブロック
２４      ・・・自由端部
２６      ・・・支持フレーム
２８      ・・・プレート
３０      ・・・枢軸
３２      ・・・第一位置決め構造
３２２    ・・・当接面
３４      ・・・第二位置決め構造
３６      ・・・貫通穴
３８      ・・・第一位置決め穴
４０      ・・・位置決めピン
４２      ・・・本体
４２２    ・・・身部
４２４    ・・・端部
４４      ・・・握部
４６      ・・・結合座
４６２    ・・・外螺旋部
４６４    ・・・収容溝
４８      ・・・弾性ユニット
４８２    ・・・固定リング
４８４    ・・・固定リング
４８６    ・・・スプリング
５０      ・・・第二位置決め穴
ＰＯ      ・・・オン位置
ＰＣ      ・・・オフ位置
Ｐ１      ・・・第一位置
Ｐ２      ・・・第二位置
【図１】
0003214743.tif 000003
【図２】
0003214743.tif 000004
【図３】
0003214743.tif 000005
【図４】
0003214743.tif 000006
【図５】
0003214743.tif 000007
【図６】
0003214743.tif 000008